(57)【特許請求の範囲】
【請求項１】
プレスにおけるフレームに固定した雌ねじ部材内に、上型又は下型を備えたラムを上下動するための雄ねじ部材を上下動自在に螺合したラム上下作動装置において、前記雌ねじ部材の内周面に囲繞され、かつ前記雄ねじ部材におけるねじ部の上下に形成された上部空間と下部空間とを、バイパス路を介して接続して設け、前記雌ねじ部材の上面に油溜り凹部を備え、前記バイパス路は、前記油溜り凹部を回避した雌ねじ部材の上面又は雌ねじ部材の内周面上部に接続してあることを特徴とするラム上下作動装置。
【発明の詳細な説明】
【技術分野】
【０００１】
本発明は、上型又は下型を支持したラムをねじ機構によって上下動するラム上下作動装置に係り、さらに詳細には、前記ラムを上下動するための雄ねじ部材が上下動するときに、雄ねじ部材の上部空間及び下部空間の内圧の大きな変動を防止することのできるラム上下作動装置に関する。
【背景技術】
【０００２】
プレスにおいて、上型又は下型を支持したラムを上下動する機構としては、クランク機構を利用した構成、アクチュエータとして油圧シリンダを利用した構成などがあり、ねじ機構を利用した構成において、大出力を要する場合には台形ねじが使用されている（例えば特許文献１参照）。
【先行技術文献】
【特許文献】
【０００３】
【特許文献１】特開２００２−１４３９４７号公報
【発明の概要】
【発明が解決しようとする課題】
【０００４】
前記特許文献１の記載において、ダイ（下型）を上部に支持したラムを上下動するための構成は図２に示すごとき構成である。すなわち、プレス（全体的構成は図示省略）における下部フレーム１には筒状のガイド部材３が一体的に取付けてあり、このガイド部材３内に円筒形状のラム５が上下動自在に嵌合してある。このラム５の上部に下型（ダイ）が支持されるものである。そして、前記ラム５の外周面と前記ガイド部材３の内周面との間には環状のシール部材７が配置してある。
【０００５】
前記下部フレーム１の下面には、ボルト等のごとき複数の取付具９を介して雌ねじ部材１１が一体的に取付けてある。そして、この雌ねじ部材１１には円筒形状の雄ねじ部材１３が上下動自在に螺合してあり、この雄ねじ部材１３の上部には、ボルト等のごとき固定具１５及び雄ねじ部材１３に嵌入した環状の締付具１８を介して前記ラム５が一体的に取付けてある。
【０００６】
前記雌ねじ部材１１に対して前記雄ねじ部材１３を回転するために、前記雄ねじ部材１３における下部外周面に形成したスプライン部１７には、軸受１９を介して前記雌ねじ部材１１の下部に回転自在に支持されたスプラインボス部材２１のスプラインが上下動自在に嵌合してある。そして、前記スプラインボス部材２１には、ボルト等のごとき取付具を介してプーリ２３が一体的に取付けてある。そして、前記雌ねじ部材１１、雄ねじ部材１３のねじ部及び前記軸受１９などへ潤滑油を供給するために、前記下部フレーム１には前記雄ねじ部材１３の上側の上部空間２５に連通した給油孔２７が備えられている。
【０００７】
前記構成により、プーリ２３を正逆回転すると、雄ねじ部材１３が正逆回転されて、雌ねじ部材１１に対して上下動されることとなり、ラム５を上下動するものである。そして、給油孔２７から供給された潤滑油は下方向へ流下して、雌ねじ部材１１と雄ねじ部材１３とのねじ部の潤滑を行うと共に、上記ねじ部から流下して軸受１９等の潤滑を行うものである。
【０００８】
ところで、前記上部空間２５は密閉された空間であり、前記雄ねじ部材１３の下側の下部空間２９は、軸受１９の存在により、上部空間２５に比較して密閉度が小さな半密閉空間である。すなわち、前記雄ねじ部材１３の上側には密閉空間である上部空間２５が存在し、下側には半密閉空間である下部空間２９が存在する。
【０００９】
したがって、前述のごとく、プーリ２３を回転して雄ねじ部材１３を上昇するときには、上部空間２５を縮小することとなり上部空間２５内の圧力が上昇する（正圧が発生する）。そして、下部空間２９は拡大することとなり、下部空間２９には大きな負圧を発生することとなる。逆に、雄ねじ部材１３を下降するときには、上部空間２５に大きな負圧を発生し、下部空間に正圧が発生することになる。よって、雄ねじ部材１３を高速で上下動するとき、上下の空間２５，２９に発生する前記正圧、負圧が負荷として作用することとなり、省エネルギー化を図る上において、さらなる改善が望まれていた。
【課題を解決するための手段】
【００１０】
本発明は、前述のごとき問題に鑑みてなされたもので、プレスにおけるフレームに固定した雌ねじ部材内に、上型又は下型を備えたラムを上下動するための雄ねじ部材を上下動自在に螺合したラム上下作動装置において、前記雌ねじ部材の内周面に囲繞され、かつ前記雄ねじ部材におけるねじ部の上下に形成された上部空間と下部空間とを、バイパス路を介して接続して設け、前記雌ねじ部材の上面に油溜り凹部を備え、前記バイパス路は、前記油溜り凹部を回避した雌ねじ部材の上面又は雌ねじ部材の内周面上部に接続してあることを特徴とするものである。
【発明の効果】
【００１２】
本発明によれば、雄ねじ部材の上側の上部空間と下側の下部空間とをバイパス路を介して接続してあるから、上部空間内の流体と下部空間内の流体はバイパス路を介して流通することができる。したがって、一方の空間が高圧になると、この高圧側の空間から他方の低圧側の空間内へ流体が流入する。よって、高圧になり易い一方の空間が必要以上に高圧になることを防止できると共に、負圧を発生し易い他方の空間にお大きな負圧を発生することが防止でき、前述したごとき従来の問題を解消し得るものである。
【図面の簡単な説明】
【００１３】
【図１】本発明の実施形態に係るラム上下作動装置の構成を概念的、概略的に示した説明図である。
【図２】従来のラム上下作動装置の構成を示す説明図である。
【発明を実施するための形態】
【００１４】
以下、図面を用いて本発明の実施形態に係るラム上下作動装置の構成について説明するに、前述した従来のラム上下作動装置における構成要素と同一機能を奏する構成要素には同一符号を付することとして、重複した説明は省略する。
【００１５】
本発明に係る実施形態においては、上部空間２５と下部空間２９とを接続したバイパス路３１が前記雌ねじ部材１１に備えられている。また、前記雌ねじ部材１１の上面には、環状の溝などのごとき油溜り凹部３３が形成してある。換言すれば、前記雌ねじ部材１１の上面には、環状の凸条部３５，３７を内側、外側に備えることによって前記油溜り凹部３３が形成してある。
【００１６】
上記油溜り凹部３３は、前記給油孔２７から供給された新しい潤滑油を貯留する作用をなすものであって、給油路３９を介して前記雌ねじ部材１１におけるねじ部の上部内面に連通してある。したがって、給油孔２７から供給された新しい潤滑油は、油溜り凹部３３、給油路３９を介して雌ねじ部材１１におけるねじ部の上部内面へ供給されるものである。
【００１７】
前記バイパス路３１の上部は、前記油溜り凹部３３の位置を回避した位置であって、前記外側凸条部３７の上面に開口してある。なお、バイパス路３１の上部の開口位置は、油溜り凹部３３を回避した位置であればよく、例えば雌ねじ部材１１の上面の適宜位置又は雌ねじ部材１１における内周面上部（ねじ部の上部）に開口してあってもよいものである。上述のように、バイパス路３１の上部開口位置を、油溜り凹部３３の位置を回避した位置に開口してあることにより、油溜り凹部３３内の新しい潤滑油が下部空間へ直接流下するようなことがないものである。
【００１８】
上記構成により、前述のごとく雄ねじ部材１３が上下動するとき、上部空間２５内の流体と下部空間２９内の流体はバイパス路３１を介して流通するので、上部空間２５又は下部空間２９内が高圧になったり、大きな負圧を発生するようなことはないものである。したがって、上下の空間２５，２９内に発生する高圧、負圧が負荷として作用することを防止することができ、前述したごとき従来の問題を解消し得るものである。
【００１９】
また、前記構成において、雄ねじ部材１３が上昇するとき、雌ねじ部材１１におけるねじ部に付着した潤滑油を上方向へ押し上げる傾向にあるが、前記油溜り凹部３３の内側には内側凸条部３５が備えられていることにより、押し上げられた潤滑油が油溜り凹部３３内へ入り込むことを防止することができるものである。すなわち、雄ねじ部材１３の上下動を適数回繰り返し行った後に、油溜り凹部３３内へ新しい潤滑油を供給したとき、雌ねじ部材１１のねじ部に付着していた古い潤滑油が新しい潤滑油に混じることを防止し得るものである。
【００２０】
なお、本発明は、前述した実施形態のみに限るものではなく、その他の形態でもって実施可能である。すなわち、バイパス路は、雌ねじ部材に限ることなく雄ねじ部材に設けることも可能である。また、雌ねじ部材の外部に設けることも可能である。
【符号の説明】
【００２１】
１    下部フレーム
３    ガイド部材
５    ラム
７    シール部材
１１    雌ねじ部材
１３    雄ねじ部材
１９    軸受
２３    プーリ
２５    上部空間
２７    給油孔
２９    下部空間
３１    バイパス路
３３    油溜り凹部
３５    内側凸条部
３７    外側凸条部
３９    給油路
【図１】
0005560116.tif 000002
【図２】
0005560116.tif 000003